(57)【要約】  【課題】窓によるクローズアップ効果の実効を担保したより実用的な掲示具を提供する。  【解決手段】基台１に窓１ａを設けるとともに、その窓１ａに臨ませて基台１の背面にホルダ２を保持させ、このホルダ２に収容した写真３を窓１ａを通して掲示するようにしたものであり、その際に基台１に対するホルダ２の保持構造を、窓１ａに対する写真３の相対部位が選択可能であるように構成することとした。  【選択図】図２
0003104929.tif 000002
【実用新案登録請求の範囲】
【請求項１】
基台に窓を設けるとともに、その窓に臨ませて基台にホルダを取り付け、このホルダに保持させた写真その他の掲示物を前記窓を通して掲示するようにしたものであって、前記基台に対する前記ホルダの取付構造を、窓に対する掲示物の相対部位が選択可能であるように構成したことを特徴とする掲示具。
【請求項２】
ホルダに、基台に対して後付け可能な接着面を備えたことを特徴とする請求項１記載の掲示具。
【請求項３】
ホルダと基台の間に、当該ホルダを基台に取り付けた状態で掲示物をホルダを介して位置変更可能とする係合機構を設けたことを特徴とする請求項１記載の掲示具。
【請求項４】
ホルダと基台の間に、当該ホルダを基台に取り付けた状態で掲示物をホルダに沿って位置変更可能とする係合機構を設けたことを特徴とする請求項１記載の掲示具。
【請求項５】
基台が色紙であり、ホルダが透明若しくは半透明の袋体であることを特徴とする請求項１記載の掲示具。
【請求項６】
ホルダが基台の背面に取り付けられることを特徴とする請求項５記載の掲示具。
【考案の詳細な説明】
【技術分野】
【０００１】
本考案は、写真等を掲示する掲示具に関する。
【背景技術】
【０００２】
従来よりこの種の掲示具として、例えば特許文献１に示すように、基台に窓を設けるとともに、その窓に臨ませて、基台にホルダを設け、このホルダに収容した写真その他の掲示物を前記窓を通して掲示するようにしたものが知られている。
【０００３】
このものは、基台の窓に対応するホルダの位置が予め決められており、ホルダに写真等を保持させることで、前記窓を通して写真等の中央部をクローズアップして掲示するようにしている。
【特許文献１】実用新案登録第３０１４０５５号
【考案の開示】
【考案が解決しようとする課題】
【０００４】
ところが、写真等は、必ずしも被写体が中央に位置するとは限らない。このため、ホルダに写真等を入れても被写体の肝心の部分が窓から外れてしまい、所定の掲示効果が得られない場合が生じ易い。このような不具合は、被写体が写真全域に亘っていてクローズアップしたい部位が中央から偏位している場合等にも同様であり、窓が小さいほどその不具合は顕著となる。
【０００５】
本考案は、このような課題に着目してなされたものであって、窓によるクローズアップ（強調）効果の実効を担保したより実用的な掲示具を提供することを目的としている。
【課題を解決するための手段】
【０００６】
本考案は、上記の目的を達成するために、次のような手段を講じたものである。
【０００７】
すなわち、本考案の掲示具は、基台に窓を設けるとともに、その窓に臨ませて基台の内部又は背面にホルダを保持させ、このホルダに収容した写真その他の掲示物を前記窓を通して掲示するようにしたものであって、前記基台に対する前記ホルダの保持構造を、窓に対する掲示物の相対部位が選択可能であるように構成したことを特徴とする。
【０００８】
このようなものであると、被写体が中央から偏位している写真等であっても、被写体が窓に相対するようにホルダを偏位させて基台に保持させることができる。このため、種々の写真等に対して窓の効果を実効あらしめ、掲示具としての機能を有効に担保することができる。勿論、被写体が写真全域に亘っていてクローズアップしたい部位が中央から偏位している場合等にも事情は同様である。
【０００９】
具体的な構成としては、ホルダに、基台に対して後付け可能な接着面を備えたものが挙げられる。
【００１０】
または、ホルダと基台の間に、当該ホルダを基台に係合させた状態で掲示物をホルダを介して或いはホルダに沿って位置変更可能とする係合機構を設けたものであってもよい。
【００１１】
ホルダの保持位置としては、基台の背面に設定されるものが好適である。
【００１２】
この場合、基台が色紙であり、ホルダが透明若しくは半透明の袋体であるものが特に好ましい。
【００１３】
さらに、基台を自立させるスタンドを備えているものも含まれる。
【考案の効果】
【００１４】
本考案は、以上のような構成を通じ、必要に応じてホルダの取付位置を調整して写真等のクローズアップしたい部位を窓に相対させた状態で取り付けることを可能としたため、窓による掲示効果をより実効あらしめた新規有用な掲示具を提供することができる。
【考案を実施するための最良の形態】
【００１５】
以下、本考案の一実施形態を、図面を参照して説明する。
【００１６】
図１は本考案の一実施形態を示す正面図、図２はその分解図である。この掲示具Ｋは、基台１に色紙を使用したもので、この色紙は、和紙の周囲に縁取りを施した構成からなり、書画やサイン色紙等の用途に通常用いられるものと同様のものである。
【００１７】
そして、この基台１の中央に窓１ａを設けるとともに、その窓１ａに臨ませて前記基台１の背面１ｂにホルダ２を取り付け、このホルダ２に保持させた掲示物である写真３を前記窓１ａを通して前方から視認可能に掲示するようにしている。
【００１８】
窓１ａは、写真３のサイズよりも小さい領域に亘って基台１の一部をくり抜いたもので、図示例では円形をなしているが、図３に示すような楕円や、図示しない四角、ハート形その他の適宜の形状を採用することができる。
【００１９】
一方、ホルダ２は、前記基台１とは別体をなすもので、透明若しくは半透明のセロファン紙を折り返して３辺を閉じ、上辺に写真３を出し入れ可能な開口２ａを形成して、矩形の袋体としたものである。袋体の内寸は、予め予定しているサイズの写真３を出し入れするのに支障のない程度に緊密な寸法値に設定してある。そして、このホルダ２の基台１に対向する面の左右の側辺に接着面２ｂを設け、この接着面２ｂを基台１の背面１ｂに貼着することで当該基台１に後付けにより取り付けることを可能としている。接着面２ｂは、糊、粘着テープその他の適宜の手段によって構成することができる。
【００２０】
したがって、この実施形態において基台１にホルダ２を保持させる際、窓１ａに対する写真３の相対部位を貼着時に選択することが可能である。
【００２１】
このようなものであると、被写体が写真３の中央に映っているときは、ホルダ２の中心が窓１ａの中心に合致するような関係でホルダ２を基台１の背面１ｂに貼着することで、図１のように被写体の顔等を窓１ａの適正位置に表出させることができるが、図４に示すように被写体が写真３の中央から偏位している場合等であっても、ホルダ２を上下左右に偏位させて基台１の背面１ｂに貼着すれば、図５のように被写体の顔を窓１ａの適正位置に相対させることができる。このため、種々の写真に対して窓１ａの効果を実効あらしめることができ、この種の掲示具としての機能を有効に担保することが可能となる。勿論、被写体全体は写真３全体にうまく収まっていても、例えば図６に示す集合写真３０や風景写真においてクローズアップしたい部位が人によって異なる場合等には事情は全く同じであり、また、写真３を回転させれば斜めに映っている写真も適正な方位で掲示することが可能になるなど、写真３の内容や利用者の目的・用途に応じて適切な利用を図ることが可能になる。勿論、このような効果は写真に限らず、書画その他の掲示物であっても同様である。
【００２２】
なお、ホルダ２を写真３よりも大きいサイズにして、ホルダ２内で写真３が移動できる構成とすることもできるが、このようにすると定着性が悪く、容易に位置ずれして掲示状態が不安定になる。その点、本実施形態によれば、所定の掲示位置で写真等を安定保持することができ、掲示効果を長期に亘って有効に維持することが可能になる。
【００２３】
特に、本実施形態は、基台１に対して後付け可能な接着面２ｂをホルダ２側に備えるだけであるため、位置を決めて後付けすれば簡単に上記の効果が得られ、糊付け等の煩わしさがなく、利用者の作業が極めて簡素なものとなる。接着面２ｂは、使用時までこれをガードする被覆層を設けるなどすれば、接着性を容易に担保することができる。
【００２４】
また、ホルダ２の保持位置として基台１の背面１ｂを利用しているため、ホルダ２を貼着する際の作業性が良好となり、また掲示状態で背面１ｂは視認されないため掲示効果を損なう不都合も生じない。
【００２５】
さらに、この実施形態において基台1には色紙を使用しており、ホルダ２が透明若しくは半透明の袋体であるため、色紙本来のもつ優美な装飾性と、前記基台１に設けた窓１ａから表出させる写真３の一部とを調和、融合させて、写真３を際立たせる効果、あるいは写真３にある種の意味合いを持たせる効果など、相乗的な効果を醸し出すことにも利用することができる。
【００２６】
なお、各部の具体的構成は、上述した実施形態のみに限定されるものではなく、本考案の趣旨を逸脱しない範囲で種々変形が可能である。
【００２７】
例えば、図７に示すように、ホルダ２と基台１の間に係合機構４を設け、この係合機構４により、ホルダ２を基台１に係合させた状態でホルダ２を位置変更可能とする構造を採用してもよい。具体的には、同図の係合機構４はホルダ２の２辺を保持する一対の平行なクリップ４１からなり、クリップ４１間でホルダ２を左右に偏位させることができるだけでなく、一対のクリップ４１はホルダ２に対する呑み込み量を可変とされて、上下にホルダ２を位置偏位させることも可能なとなっている。クリップ４１はホルダ２の四隅をある程度深く呑み込んで保持する構造のものでもよい。
【００２８】
このようにすれば、係合位置に応じて窓１ａに対する写真の相対部位が反復して選択あるいは変更可能となり、写真を入れ替えて反復利用する場合等に極めて有用なものとなる。
【００２９】
勿論、図示しないが、基台にレールを設け、このレールに対して移動可能となるようにクリップでホルダを保持させる構成によっても、或いは基台側とホルダ側に面ファスナーを取り付けて貼り合わせる構成によっても、これと同様の効果を得ることができる。ホルダをクリップ状のものにして、写真を直接把持させる構造もこれに準ずる。
【００３０】
また、基台を２つ折りのもの或いは２層構造にして、その間にホルダを位置変更可能に保持させる構成によることもできる。
【００３１】
さらに、基台にスタンドを備えておけば、いわゆるフォトスタンドとしての自立性も容易に付与することが可能となる。
【図面の簡単な説明】
【００３２】
【図１】本考案の一実施形態に係る掲示具の正面図。
【図２】同実施形態に係る掲示具の斜視図。
【図３】同実施形態に係る掲示具の変形例を示す正面図。
【図４】同実施形態に係るホルダを基台の中央に貼着した掲示具を示す正面図。
【図５】同実施形態に係るホルダを基台の適正位置に貼着した掲示具を示す正面図。
【図６】同実施形態に係る集合写真の一部をクローズアップした状態を示す正面図。
【図７】本考案の他の実施形態に係る掲示具の斜視図。
【符号の説明】
【００３３】
Ｋ…掲示具
１…基台
１ａ…窓
１ｂ…背面
２…ホルダ
２ｂ…接着面
３…掲示物（写真）
４…係合機構
【図１】
0003104929.tif 000003
【図２】
0003104929.tif 000004
【図３】
0003104929.tif 000005
【図４】
0003104929.tif 000006
【図５】
0003104929.tif 000007
【図６】
0003104929.tif 000008
【図７】
0003104929.tif 000009